(57)【要約】【課題】簡単な操作で再生リストが生成され、画像をスライドショー表示することが可能な画像再生装置、画像再生方法、及び画像再生プログラムを提供する。【解決手段】抽出部６１は、メモリカード３１から画像データに付加された位置情報である緯度及び経度情報を抽出する。属性画像生成部６２は、抽出された位置情報を地図上にマッピングした属性画像７１を生成する。この属性画像７１は、ＬＣＤ１６に表示され、ユーザによって領域Ａ１が指定されると、再生リスト生成部６３は、領域Ａ１に含まれる位置情報を判別し、これらの位置情報に対応する画像データをスライドショー表示するための再生リストを生成する。ＣＰＵ４０は、この再生リストに基づいて、画像データをＬＣＤ１６にスライドショー表示させる。【選択図】図５
2007158603.tif 000002
【特許請求の範囲】
【請求項１】
画像データと、その属性を示す属性データとが記憶された記憶手段から、前記画像データを読み出し、画像を表示手段にスライドショー表示させる画像再生装置において、
前記記憶手段から前記属性データを抽出する抽出手段と、
前記抽出手段によって抽出された前記属性データを分類して表示する属性画像を生成する属性画像生成手段と、
前記表示手段に表示された前記属性画像上でユーザによって指定された領域内に含まれる前記属性データを判別し、これらの属性データに対応する画像データをスライドショー表示するための再生リストを生成する再生リスト生成手段と、
前記再生リストに基づいて、前記表示手段を制御して前記画像データをスライドショー表示させる制御手段と、
を備えていることを特徴とする画像再生装置。
【請求項２】
前記属性データは、前記画像データの撮影場所を示す位置情報であり、前記属性画像は、前記位置情報が地図上に分類表示された画像であることを特徴とする請求項１記載の画像再生装置。
【請求項３】
前記各画像データには、種類の異なる少なくとも２つの前記属性データが付加されており、前記再生リスト生成手段は、第１の属性データを分類表示する第１の属性画像上で、ユーザによって前記第１の属性データを指定させた後、この第１の属性データに対応する画像データに付加された第２の属性データを分類表示する第２の属性画像上で、ユーザによって前記第２の属性データを指定させて、前記再生リストを生成することを特徴とする請求項１または請求項２記載の画像再生装置。
【請求項４】
前記属性画像を生成するための分類用画像は、ユーザによって選択可能にされており、前記属性画像生成手段は、ユーザによって選択された前記分類用画像に対して、前記属性データを示す情報を付加して、前記属性画像を生成することを特徴とする請求項１ないし請求項３のいずれか記載の画像再生装置。
【請求項５】
前記分類用画像を記憶する分類用画像記憶手段を備え、インターネットを介してダウンロードされた前記分類用画像が、前記分類用画像記憶手段に記憶されることを特徴とする請求項４記載の画像再生装置。
【請求項６】
画像データと、その属性を示す属性データとが記憶された記憶手段から、前記画像データを読み出し、画像を表示手段にスライドショー表示させる画像再生方法において、
前記記憶手段から前記属性データを抽出し、抽出された前記属性データを分類して表示する属性画像を生成して前記表示手段に表示し、前記属性画像上でユーザによって指定された領域内に含まれる前記属性データを判別し、これらの属性データに対応する画像データをスライドショー表示するための再生リストを生成し、この再生リストに基づいて、前記画像データを前記表示手段にスライドショー表示させることを特徴とする画像再生方法。
【請求項７】
画像データと、その属性を示す属性データとが記憶された記憶手段から、前記画像データを読み出し、画像を表示手段にスライドショー表示させる処理をコンピュータに実行させる画像再生プログラムにおいて、
前記記憶手段から前記属性データを抽出する抽出処理と、この抽出された前記属性データを分類して表示する属性画像を生成して前記表示手段に表示する表示処理と、前記属性画像上でユーザによって指定された領域内に含まれる前記属性データを判別し、これらの属性データに対応する画像データをスライドショー表示するための再生リストを生成する再生リスト生成処理と、この再生リストに基づいて、前記画像データを前記表示手段にスライドショー表示させる再生処理とを前記コンピュータに実行させることを特徴とする画像再生プログラム。
【発明の詳細な説明】
【技術分野】
【０００１】
本発明は、画像データが記憶された記憶手段から、画像データを読み出して、画像データをスライドショーで再生表示することが可能な画像再生装置、画像再生方法、及び画像再生プログラムに関する。
【背景技術】
【０００２】
近年、ＣＣＤイメージセンサ等の固体撮像素子によって撮像された画像データを記憶手段に記憶させるデジタルカメラが一般に普及している。このような、デジタルカメラでは、画像再生装置としても機能し、記憶手段に記憶された画像データを表示手段に再生表示することが可能である。
【０００３】
しかしながら、デジタルカメラを再生装置として用いる場合、再生する画像データを指定する場合、画像データの内容や、再生する画像データの順序を確認する操作が複雑であり、ユーザに対して面倒な操作を強いることになっていた。
【０００４】
このような問題を解決するために、記憶手段に記録されている画像の内容を一覧表示し、さらに、再生順序も確認できるようにした画像再生装置が知られている（例えば、特許文献１参照）。
【０００５】
さらに、サムネイルを画面に一覧表示させるとともに、その複数のサムネイルの中から所望のサムネイルを選択して、選択サムネイル表示領域に配列されることで再生リストを作成可能にした画像再生装置が知られている（例えば、特許文献２参照）。
【特許文献１】特開平１−４４１８１号公報
【特許文献２】特開２００２−１５２６６５号公報
【発明の開示】
【発明が解決しようとする課題】
【０００６】
しかしながら、上記特許文献１及び特許文献２に記載の画像再生装置では、再生リストを生成するために、再生する画像データを指定する操作に手間が掛かるという問題があり、簡単な操作で再生リストを生成してスライドショー表示することが可能な画像再生装置が望まれていた。
【０００７】
本発明は、上記事情に鑑みてなされたものであり、簡単な操作により、所望の画像をスライドショー表示させることが可能な画像再生装置、画像再生方法、及び画像再生プログラムを提供することを目的とする。
【課題を解決するための手段】
【０００８】
上記課題を解決するために、本発明の画像再生装置は、画像データと、その属性を示す属性データとが記憶された記憶手段から、前記画像データを読み出し、画像を表示手段にスライドショー表示させる画像再生装置であり、前記記憶手段から前記属性データを抽出する抽出手段と、前記抽出手段によって抽出された前記属性データを分類して表示する属性画像を生成する属性画像生成手段と、前記表示手段に表示された前記属性画像上でユーザによって指定された領域内に含まれる前記属性データを判別し、これらの属性データに対応する画像データをスライドショー表示するための再生リストを生成する再生リスト生成手段と、前記再生リストに基づいて、前記表示手段を制御して前記画像データをスライドショー表示させる制御手段とを備えていることを特徴とするものである。
【０００９】
また、前記属性データは、前記画像データの撮影場所を示す位置情報であり、前記属性画像は、前記位置情報が地図上に分類表示された画像であることが好ましい。
【００１０】
さらに、前記各画像データには、種類の異なる少なくとも２つの前記属性データが付加されており、前記再生リスト生成手段は、第１の属性データを分類表示する第１の属性画像上で、ユーザによって前記第１の属性データを指定させた後、この第１の属性データに対応する画像データに付加された第２の属性データを分類表示する第２の属性画像上で、ユーザによって前記第２の属性データを指定させて、前記再生リストを生成することが好ましい。
【００１１】
また、前記属性画像を生成するための分類用画像は、ユーザによって選択可能にされており、前記属性画像生成手段は、ユーザによって選択された前記分類用画像に対して、前記属性データを示す情報を付加して、前記属性画像を生成することが好ましい。
【００１２】
さらに、前記分類用画像を記憶する分類用画像記憶手段を備え、インターネットを介してダウンロードされた前記分類用画像が、前記分類用画像記憶手段に記憶されることが好ましい。
【００１３】
本発明の画像再生方法は、画像データと、その属性を示す属性データとが記憶された記憶手段から、前記画像データを読み出し、画像を表示手段にスライドショー表示させる画像再生方法であり、前記記憶手段から前記属性データを抽出し、抽出された前記属性データを分類して表示する属性画像を生成して前記表示手段に表示し、前記属性画像上でユーザによって指定された領域内に含まれる前記属性データを判別し、これらの属性データに対応する画像データをスライドショー表示するための再生リストを生成し、この再生リストに基づいて、前記画像データを前記表示手段にスライドショー表示させることを特徴とするものである。
【００１４】
本発明の画像再生プログラムは、画像データと、その属性を示す属性データとが記憶された記憶手段から、前記画像データを読み出し、画像を表示手段にスライドショー表示させる処理をコンピュータに実行させる画像再生プログラムであり、前記記憶手段から前記属性データを抽出する抽出処理と、この抽出された前記属性データを分類して表示する属性画像を生成して前記表示手段に表示する表示処理と、前記属性画像上でユーザによって指定された領域内に含まれる前記属性データを判別し、これらの属性データに対応する画像データをスライドショー表示するための再生リストを生成する再生リスト生成処理と、この再生リストに基づいて、前記画像データを前記表示手段にスライドショー表示させる再生処理とを前記コンピュータに実行させることを特徴とするものである。
【発明の効果】
【００１５】
本発明によれば、画像データの属性を示す属性データを分類して表示する属性画像を表示し、この属性画像上でユーザによって指定された領域内に含まれる属性データを判別し、これらの属性データに対応する画像データをスライドショー表示するための再生リストを生成するので、ユーザに対して複雑な操作を強いることなく、画像をスライドショーで再生表示させることができる。また、属性画像を見ることによって画像データの特徴を容易に把握することができる。
【００１６】
また、属性データとして撮影場所を示す位置情報を用い、この位置情報を地図上に分類表示することにより、ユーザは撮影場所を確認することが容易であり、スライドショー表示したい画像データを指定しやすい。
【００１７】
種類の異なる属性データを用いてスライドショー表示する画像を指定できるので、画像データが多数ある場合でも、スライドショー表示したい画像データを容易に絞り込むことが可能である。
【００１８】
また、分類用画像がユーザによって選択可能であり、この分類用画像を用いて属性画像が生成されているので、ユーザの嗜好に合った属性画像を表示することが可能であり、ユーザに適した再生リストを生成することができる。
【００１９】
ダウンロードした分類用画像を分類用記憶手段に記憶させることができるので、分類用画像の追加や、更新を行うことができる。このため、各ユーザの嗜好に合った再生リストを生成することができる。
【発明を実施するための最良の形態】
【００２０】
最初に、第１の実施形態であるデジタルカメラ１０について説明する。図１に示すように、デジタルカメラ１０は、カメラ本体１１の前面に、スライド操作可能なレンズバリア１２を備えている。このレンズバリア１２を開放位置（図１に示す位置）にスライドさせることによって、撮影レンズ１３、ストロボ発光部１４が前面に露呈される。また、カメラ本体１１の前面には、光学ファインダを構成するファインダ対物窓１５が設けられている。
【００２１】
前述のレンズバリア１２は、電源操作部材を兼用しており、前述の開放位置にスライド操作された時に、カメラ本体１１の電源がＯＮとなり、撮影レンズ１３及びストロボ発光部１４が遮蔽される遮蔽位置にスライド操作された時に、カメラ本体１１の電源がＯＦＦとなる。
【００２２】
また、図２に示すように、カメラ本体１１の背面には、画像を表示する表示手段であるＬＣＤ１６、光学ファインダを構成するファインダ接眼窓１７、複数の操作部材で構成される操作部１８が設けられている。ＬＣＤ１６は、スルー画、再生画像、及び各種設定画面等を表示する。なお、このＬＣＤ１６の表面には、後述するタッチパネルが設けられている。
【００２３】
操作部１８は、切替スイッチ２１、戻しボタン２２、送りボタン２３、ズームボタン２４、メニューボタン２５、キャンセルボタン２６、及び表示ボタン２７で構成されている。
【００２４】
切替スイッチ２１は、撮影モードと再生モードとの間でモードを切り替える際に、スライド操作される。また、送りボタン２３及び戻しボタン２２は、再生モードにおいて、再生画像を順送り及び逆送りする際に、押圧操作される。ズームボタン２４は、光学撮影倍率を変更する際に、上下方向に押圧操作される。
【００２５】
メニューボタン２５は、メニュー画面をＬＣＤ１６に表示させる際に押圧操作される。また、キャンセルボタン２６は、メニュー画面内での各種設定操作を途中でやめる場合や、前画面に戻す場合に押圧操作される。表示ボタン２７は、ＬＣＤ１６のＯＮ，ＯＦＦを切り替える際に押圧操作される。
【００２６】
また、カメラ本体１１の上面には、シャッタボタン２８と、アンテナ２９とが設けられている。このシャッタボタン２８は、撮影を行う際に撮影者によって押圧操作される。また、アンテナ２９は、後述するＧＰＳ（Global Positioning System）受信機のアンテナであり、ＧＰＳ衛星からの電波を受信する。
【００２７】
カメラ本体１１の側面には、メモリカードスロット３０が設けられている。このメモリカードスロット３０には、画像データが記憶される記憶手段であるメモリカード３１が着脱自在に装填される。
【００２８】
次に、デジタルカメラ１０の電気的構成について説明する。図３に示すように、デジタルカメラ１０は、カメラ全体の制御を行う制御手段であるＣＰＵ４０を備えている。このＣＰＵ４０には、前述の操作部１８及びシャッタボタン２８が接続されている。ＣＰＵ４０は、操作部１８を構成する各操作ボタン２１〜２７が操作された時に、各操作ボタン２１〜２７から操作信号を取得し、各操作信号に対応する処理を実行する。
【００２９】
撮影レンズ１３の背後には、ＣＣＤイメージセンサ（以下、単にＣＣＤと称する）４１が設けられており、撮影レンズ１３を透過した被写体光が、ＣＣＤ４１の受光面に入射する。このＣＣＤ４１は、ＣＣＤドライバ４２を介してＣＰＵ４０に接続されている。
【００３０】
ＣＰＵ４０は、ＣＣＤドライバ４２を制御してＣＣＤ４１を駆動するための駆動信号を生成させる。ＣＣＤ４１は、この駆動信号によって駆動されて、被写体像を撮像してアナログの撮像信号を出力する。
【００３１】
ＣＣＤ４１には、相関二重サンプリング回路（ＣＤＳ）４３が接続されており、アナログ信号の撮像信号が入力される。ＣＤＳ４３は、撮像信号に対してノイズの除去を行った後、撮像信号をＡＭＰ４４に出力する。ＡＭＰ４４は、ＣＰＵ４０によって設定される撮影感度に応じたゲインで撮像信号を増幅した後、撮像信号をＡ／Ｄ変換器４５に出力する。
【００３２】
Ａ／Ｄ変換器４５は、撮像信号をアナログ信号からデジタル信号に変換して、画像データとして出力する。このＡ／Ｄ変換器４５には、画像入力コントローラ４６が接続されており、画像データが画像入力コントローラ４６に出力される。
【００３３】
画像入力コントローラ４６は、データデータバス４７への画像データの入力を制御する。データバス４７には、ＣＰＵ４０、画像入力コントローラ４６の他に、ＳＤＲＡＭ４８、ＶＲＡＭ４９、画像信号処理部５０、圧縮伸張処理部５１、メディアコントローラ５２、グラフィックコントローラ５３、ＧＰＳ受信機５４、及びタッチパネル５５が接続されている。ＣＰＵ４０は、データバス４７を介してこれらを制御するとともに、相互間でデータの授受が可能である。
【００３４】
画像入力コントローラ４６は、Ａ／Ｄ変換器４５から取得した画像データをＳＤＲＡＭ４８またはＶＲＡＭ４９に記憶させる。画像信号処理部５０は、画像データがＳＤＲＡＭ４８に一時的に記憶されている間に、画像データに対して、ホワイトバランス補正、階調変換処理、ＹＣ変換処理等の各種画像処理を施す。
【００３５】
また、ＶＲＡＭ４９には、ＬＣＤ１６に画像を表示させる際に、画像データが一時的に記憶される。グラフィックコントローラ５３は、ＶＲＡＭ４９に記憶された画像データに対してＬＣＤ１６の表示画素数に合わせて表示できるように変換する。また、このグラフィックコントローラ５３には、ＬＣＤドライバ５６が接続されており、画像データがＬＣＤドライバ５６に出力される。ＬＣＤドライバ５６は、この画像データに基づいてＬＣＤ１６を制御して画像を表示させる。
【００３６】
圧縮伸張処理部５１は、画像処理が施された画像データに対してＪＰＥＧ方式等の圧縮形式によって圧縮処理を施す。ＣＰＵ４０は、メディアコントローラ５２を制御して、圧縮された画像データをメモリカード３１に記憶させる。また、圧縮伸張処理部５１は、メモリカード３１に記憶された画像データを再生する際に、圧縮された画像データに対して伸張処理を行う。
【００３７】
ＧＰＳ受信機５４は、前述のアンテナ２９を備え、アンテナ２９によって受信されたＧＰＳ衛星からの電波に基づいて、緯度情報及び経度情報を算出する。ＣＰＵ４０は、画像データをメモリカード３１に記憶させる際に、これらの緯度及び経度情報を画像データに付加した画像ファイルを記憶させる。つまり、これらの緯度及び経度情報は、画像ファイルのタグ情報に格納される。
【００３８】
タッチパネル５５は、前述したように、ＬＣＤ１６の表示面上に設けられている。このタッチパネル５５は、ユーザによって触れられた時に、その接触位置を検出して位置情報をＣＰＵ４０に出力する。ＣＰＵ４０は、この位置情報を取得して対応する処理を実行する。例えば、複数の操作ボタンがＬＣＤ１６に表示されている場合、ＣＰＵ４０は、タッチパネル５５から取得した位置情報に基づいて、操作されたボタンを特定し、この操作ボタンに対応する処理を実行する。
【００３９】
後述する属性画像がＬＣＤ１６に表示されている場合、ＣＰＵ４０は、タッチパネル５５から取得した位置情報に基づいて、ユーザによって指定された領域を特定する。なお、このタッチパネル５５としては、例えば、超音波表面弾性波方式のものを用いる。
【００４０】
また、ＣＰＵ４０には、ＲＯＭ５７及びＲＡＭ５８が接続されている。ＲＯＭ５７には、カメラ本体１１内の各部を制御するための制御プログラムや、各種制御用データや、画像再生プログラム等が記憶されている。また、このＲＯＭ５７は、分類用画像記憶手段であり、属性画像を生成する際に用いられる分類用画像データが記憶されている。ＣＰＵ４０は、これらのプログラムや各種制御用データ等に基づいて各部を制御する。また、ＲＡＭ５８には、作業用データが一時的に記憶される。
【００４１】
さらに、ＣＰＵ４０内には、抽出部６１、属性画像生成部６２、及び再生リスト生成部６３が設けられている。抽出部６１は、メモリカード３１に記憶された各画像ファイルから画像データの属性を示す属性データを抽出する。例えば、属性データとして、撮影場所を示す位置情報を抽出する場合、各画像ファイルに付加された緯度及び経度情報を位置情報として抽出する。つまり、抽出データ７０は、図４に示すように、各画像ファイルに付加された緯度及び経度情報である。
【００４２】
また、属性画像生成部６２は、抽出部６１によって抽出された属性データを分類して表示するための属性画像を生成する。例えば、前述したように、属性データとして位置情報を抽出した場合、図５に示すように、各画像ファイルの緯度及び経度情報を地図上にマッピングして属性画像７１を生成する。このように、位置情報を地図上にマッピングする場合、全ての位置情報を地図上にマッピングしても良いし、１つのエリア（例えば、各都道府県）に対して複数の緯度及び経度情報が存在しても、そのエリアに対して、画像データの有無のみを示すマーキングを１つだけ施しても良い。
【００４３】
また、再生リスト生成部６３は、ＬＣＤ１６に表示された属性画像上でユーザによって指定された領域内に含まれる属性データを判別し、これらの属性データに対応する画像データをスライドショーで表示するための再生リストを生成する。例えば、ユーザがタッチパネル５５上をなぞって、図５に示す領域Ａ１を指定した場合、この領域Ａ１に含まれる位置情報を判別し、これらの位置情報に対応する画像データをスライドショーで表示するための再生リストを生成する。なお、再生リストとは、例えば、スライドショーで表示する画像ファイル名と、表示する順序とで構成される。ＣＰＵ４０は、この再生リストに基づいて、画像をＬＣＤ１６にスライドショーで表示させる。
【００４４】
次に上記構成のデジタルカメラ１０の画像再生処理について、図６のフローチャートを用いて説明する。デジタルカメラ１０の電源がＯＮにされると、ＣＰＵ４０は、再生モードに設定されているか否かを判定する。再生モードに設定されていないと判定された場合、画像再生処理を終了する。
【００４５】
再生モードに設定されていると判定された場合、ＣＰＵ４０は、ユーザによって再生画像の指定が選択されたか否かを判定する。この判定は、例えば、再生画像の指定を行うか否かを選択する画面をＬＣＤ１６に表示し、ユーザの選択結果に基づいて判断される。最初に、再生画像の指定が選択されたと判定された場合について説明する。この場合、抽出部６１は、メモリカード３１に記憶された各画像ファイルのタグ情報から位置情報（緯度情報及び経度情報）を抽出する。
【００４６】
その後、属性画像生成部６２は、抽出された位置情報を地図上にマッピングして属性画像７１を生成する。ＣＰＵ４０は、図５に示すように、この属性画像７１をＬＣＤ１６に表示させる。属性画像をＬＣＤ１６に表示した後、ＣＰＵ４０は、属性画像７１上で領域が指定されたか否かを判定する。領域が指定されていないと判定された場合、領域が選択されるまで待機状態となる。また、領域が選択されたと判定された場合、再生リスト生成部６３は、選択された領域Ａ１内に含まれる属性データ（緯度及び経度情報）を判別し、これらの緯度及び経度情報に対応する画像データをスライドショー表示するための再生リストを生成する。
【００４７】
ＣＰＵ４０は、再生表示リストに基づいて、画像をＬＣＤ１６にスライドショー表示させる。その後、ＣＰＵ４０は、他のモードに切り替えられたか否かを判定し、他のモードに切り替えられていないと判定された場合、再生画像の指定が選択されたか否かを判定する処理に戻る。また、他のモードに切り替えられたと判定された場合、画像再生処理を終了する。
【００４８】
次に、再生画像の指定が選択されていないと判定された場合について説明する。この場合、ＣＰＵ４０は、既存の再生リストに基づいて、画像をＬＣＤ１６にスライドショーで表示させる。この既存の画像リストとは、例えば、メモリカード３１に記憶された画像データの全てを撮影順に表示するための再生リストである。その後、ＣＰＵ４０は、他のモードに切り替えられたか否かを判定し、他のモードに切り替えられていないと判定された場合、再生画像の指定が選択されたか否かを判定する処理に戻る。また、他のモードに切り替えられたと判定された場合、画像再生処理を終了する。
【００４９】
前述の画像再生処理では、位置情報（緯度及び経度情報）によって画像データを選択してスライドショー表示を行う場合について説明したが、位置情報という１つの条件だけでなく、複数の条件によって画像データを絞り込んでスライドショー表示しても良い。
【００５０】
以下に、複数の条件によって画像データを絞り込んでスライドショー表示する場合の画像再生処理について、図７のフローチャートを用いて説明する。デジタルカメラ１０の電源がＯＮにされると、ＣＰＵ４０は、再生モードに設定されているか否かを判定する。再生モードに設定されていないと判定された場合、画像再生処理を終了する。
【００５１】
再生モードに設定されていると判定された場合、ＣＰＵ４０は、ユーザによって再生画像の指定が選択されたか否かを判定する。最初に、再生画像の指定が選択されたと判定された場合について説明する。この場合、抽出部６１は、メモリカード３１に記憶された各画像ファイルのタグ情報から位置情報（緯度情報及び経度情報）を抽出する。
【００５２】
その後、属性画像生成部６２は、抽出された位置情報を地図上にマッピングした属性画像７２を生成して、ＣＰＵ４０は、図８に示すように、この属性画像７２をＬＣＤ１６表示させる。
【００５３】
属性画像７２をＬＣＤ１６に表示した後、ＣＰＵ４０は、属性画像７２上で領域が指定されたか否かを判定する。領域が指定されていないと判定された場合、領域が指定されるまで待機状態となる。また、図８に示すように、領域Ａ２が指定されたと判定された場合、再生リスト生成部６３は、指定された領域Ａ２内に含まれる位置情報を判別する。
【００５４】
その後、抽出部６１は、指定された領域Ａ２に含まれる位置情報を判別し、これらの位置情報に対応する画像ファイルから日付情報を抽出する。属性画像生成部６２は、抽出された日付情報をカレンダー上にマーキングした属性画像７３を生成する。ＣＰＵ４０は、図９に示すように、この属性画像７３をＬＣＤ１６に表示させる。
【００５５】
属性画像７３をＬＣＤ１６に表示した後、ＣＰＵ４０は、属性画像７３上で領域が指定されたか否かを判定する。領域が指定されていないと判定された場合、領域が指定されるまで待機状態となる。また、図９に示すように、領域Ａ３が指定されたと判定された場合、再生リスト生成部６３は、指定された領域Ａ３内に含まれる日付情報を判別し、これらの日付情報に対応する画像データをスライドショー表示するための再生リストを生成する。
【００５６】
ＣＰＵ４０は、この再生表示リストに基づいて、画像をＬＣＤ１６にスライドショー表示させる。その後、ＣＰＵ４０は、他のモードに切り替えられたか否かを判定し、他のモードに切り替えられていないと判定された場合、再生画像の指定が選択されたか否かを判定する処理に戻る。また、他のモードに切り替えられたと判定された場合、画像再生処理を終了する。
【００５７】
次に、再生画像の指定が選択されていないと判定された場合について説明する。この場合、ＣＰＵ４０は、既存の画像再生リストに基づいて、画像をＬＣＤ１６にスライドショー表示させる。この既存の画像リストとは、メモリカード３１に記憶された画像データの全てを撮影順に表示するための再生リストである。
【００５８】
その後、ＣＰＵ４０は、他のモードに切り替えられたか否かを判定し、他のモードに切り替えられていないと判定された場合、再生画像の指定が選択されたか否かを判定する処理に戻る。また、他のモードに切り替えられたと判定された場合、画像再生処理を終了する。
【００５９】
以上、画像再生処理について説明したが、なお、この画像再生処理は、ＲＯＭ５７に記憶された画像再生プログラムに基づいて、ＣＰＵ４０によって実行される。また、再生モードでは、画像をスライドショー表示するだけでなく、送りボタン２３及び戻しボタン２２を操作することによって、画像を順送り及び逆送りして再生することが可能である。
【００６０】
上記実施形態において、ＲＯＭ５７に記憶された画像を用いて属性画像を生成する場合について説明したが、以下に、インターネットを介してダウンロードした画像を用いて属性画像を生成する場合について説明する。
【００６１】
第２の実施形態であるデジタルカメラ１００は、図１０に示すように、インターネットＩ／Ｆ６５を備えており、このインターネットＩ／Ｆ６５が、データバス４７に接続されている。また、デジタルカメラ１０とは異なり、ＣＰＵ４０には、ＲＯＭ５７の代わりにＥＥＰＲＯＭ６６が接続されている。
【００６２】
インターネットＩ／Ｆ６５は、インターネットに接続するためのインターフェースであり、例えば、無線通信によってインターネットに接続可能にされている。デジタルカメラ１００は、このインターネットＩ／Ｆ６５によって、インターネットを介して、例えば、メーカのサーバに接続され、属性画像を生成するための画像データがダウンロードされる。
【００６３】
また、ＥＥＰＲＯＭ６６は、書き換え可能な不揮発性メモリであり、前述のＲＯＭ５７と同様に、制御プログラムや、各種制御用データや、画像再生プログラム等が記憶されている。また、ＥＥＰＲＯＭ６６は、分類用画像記憶手段であり、属性画像を生成する際に用いられる分類用画像データが記憶されている。さらに、このＥＥＰＲＯＭ６６には、インターネットを介してダウンロードされた画像データが追加される。また、ＥＥＰＲＯＭ６６に記憶されていた分類用画像データをダウンロードされた分類用画像データに更新しても良い。なお、その他の構成は、デジタルカメラ１０と同様であり、同じ部品には同一の符号を付して詳しい説明を省略する。
【００６４】
次に、上記構成のデジタルカメラ１００の画像再生処理について、図１１のフローチャートを用いて説明する。なお、位置情報を抽出する処理までは、図６に示すフローチャートと同様であるので詳しい説明を省略する。
【００６５】
位置情報が抽出された後、ＣＰＵ４０は、ＥＥＰＲＯＭ６６に記憶された複数の分類用画像を縮小して生成した選択画面をＬＣＤ１６に表示する。例えば、図１２に示すように、複数の地図８１〜８３を縮小して生成した選択画面８４を表示する。その後、ユーザが、タッチパネル５５または操作部１８を操作することによって、これらの地図８１〜８３から所望の地図が選択される。
【００６６】
所望の地図が選択されると、属性画像生成部６２は、この選択地図を用いて属性画像を生成する。例えば、地図８３が選択された場合、属性画像生成部６２は、図１３に示すように、この地図８３に位置情報をマッピングして属性画像８５を生成し、ＣＰＵ４０は、この属性画像８５をＬＣＤ１６に表示させる。その後、再生リスト生成部６３は、ユーザによって指定された領域Ａ５に対応する位置情報を判別し、これらの位置情報に対応する画像データをスライドショー表示するための再生リストを生成する。なお、その後の処理は、図６のフローチャートと同様であり、詳しい説明を省略する。
【００６７】
このように、デジタルカメラ１００では、ユーザによって選択された分類用画像データを用いて属性画像を生成することが可能であり、ユーザの嗜好に対応する分類用画像データを用いて属性画像を生成することができる。このため、ユーザの嗜好にあったスライドショー表示用の再生リストを生成することが可能である。また、分類用画像データをダウンロードして、追加や更新が可能であり、ユーザの嗜好により適した属性画像を生成することができる。
【００６８】
以上、画像再生処理について説明したが、なお、この画像再生処理は、ＥＥＰＲＯＭ６６に記憶された画像再生プログラムに基づいて、ＣＰＵ４０によって実行される。また、再生モードでは、画像をスライドショー表示するだけでなく、デジタルカメラ１０と同様に、送りボタン２３及び戻しボタン２２を操作することによって、画像を順送り及び逆送りして再生することが可能である。
【００６９】
また、デジタルカメラ１００において、インターネットＩ／Ｆ６５を設ける場合について説明したが、これに限るものではなく、例えば、ＵＳＢケーブル等を用いて、デジタルカメラ１００と、インターネットと接続可能なパーソナルコンピュータとを接続しても良い。
【００７０】
なお、上記実施形態において、位置情報を分類して表示する属性画像を生成する際に、日本地図を用いる場合について説明したが、これに限るものではなく、日本地図よりも詳細な地図でも良いし、世界地図でも良い。また、地図に限らず、都道府県名や、地方名等によって、位置情報を分類するリストを属性画像として表示しても良い。
【００７１】
また、上記実施形態において、属性画像を生成する際に、地図やカレンダーを用いる場合について説明したが、これに限るものではなく、属性データを分類可能な画像であれば良い。
【００７２】
さらに、ユーザが、属性画像上で領域を指定する際に、タッチパネルを用いる場合について説明したが、タッチパネルを用いずに操作部によって指定しても良い。
【００７３】
さらに、上記実施形態において、本発明をデジタルカメラに適用した場合を例に説明したが、これに限るものではなく、画像を再生することが可能なものであれば良い。例えば、本発明をパーソナルコンピュータに適用しても良い。
【図面の簡単な説明】
【００７４】
【図１】第１の実施形態であるデジタルカメラの前面側の構成を示す斜視図である。
【図２】第１の実施形態であるデジタルカメラの背面側の構成を示す斜視図である。
【図３】第１の実施形態であるデジタルカメラの電気的構成を示すブロック図である。
【図４】抽出データを示す説明図であり、位置情報を抽出した場合を示している。
【図５】地図に位置情報をマッピングした属性画像を示す説明図である。
【図６】１種類の属性データを用いて再生画像を指定する場合の画像再生処理を説明するフローチャートである。
【図７】２種類の属性データを用いて再生画像を指定する場合の画像再生処理を説明するフローチャートである。
【図８】地図に位置情報をマッピングした属性画像を示す説明図であり、ユーザによって領域が選択された状態を示している。
【図９】カレンダーに日付情報をマーキングした属性画像を示す説明図であり、ユーザによって領域が選択された状態を示している。
【図１０】第２の実施形態であるデジタルカメラの電気的構成を示すブロック図である。
【図１１】属性画像に用いる画像をユーザが選択する場合の画像再生処理を説明するフローチャートである。
【図１２】画像選択画面を示す説明図である。
【図１３】選択画像を用いて生成した属性画像を示す説明図である。
【符号の説明】
【００７５】
１０  デジタルカメラ
１１  カメラ本体
１６  ＬＣＤ
３１  メモリカード
４０  ＣＰＵ
４１  ＣＣＤ
５７  ＲＯＭ
６１  抽出部
６２  属性画像生成部
６３  再生リスト生成部
６６  ＥＥＰＲＯＭ
７１〜７３，８５  属性画像
８１〜８３  地図
Ａ１〜Ａ４  領域
【図１】
2007158603.tif 000003
【図２】
2007158603.tif 000004
【図３】
2007158603.tif 000005
【図４】
2007158603.tif 000006
【図５】
2007158603.tif 000007
【図６】
2007158603.tif 000008
【図７】
2007158603.tif 000009
【図８】
2007158603.tif 000010
【図９】
2007158603.tif 000011
【図１０】
2007158603.tif 000012
【図１１】
2007158603.tif 000013
【図１２】
2007158603.tif 000014
【図１３】
2007158603.tif 000015